(57)【要約】【課題】左右、上下及び前後方向の接続位置調整が簡単なレンジの排気装置を提供する。【解決手段】レンジフード１１と排気ダクト１４との間に設けた排気アタッチメント２０は、前部本体が後部本体に対して揺動自在となるよう構成され、アタッチメント本体２１の吸気口２３ｂを覆うと共に、該吸気口に連通する円筒状の吸気口２６ｂを有した底板２６を備え、アタッチメント本体２１の底面側に底板２６を左右方向に移動自在に設け、底板２６の円筒状の吸気口２６ｂを取付板２７の円筒状の排気口２７ｂに上下方向に移動自在に設け、レンジフード１１の排気口１２に接続させた。【選択図】図２
2007315733.tif 000002
【特許請求の範囲】
【請求項１】
レンジフードと排気ダクトとの間に排気アタッチメントを設け、この排気アタッチメントは、箱型のアタッチメント本体と、このアタッチメント本体の前面側の排気口を覆うと共に、該排気口に連通する筒状の排気口を有した前板とを備え、前記アタッチメント本体の前面側に前記前板を左右方向に移動自在に設けると共に、該前板の筒状の排気口に前記排気ダクトを接続させ、かつ、前記アタッチメント本体の底面側の吸気口を前記レンジフードの排気口に接続させるようにしたレンジの排気装置において、
前記アタッチメント本体の底面側の吸気口を覆うと共に、該吸気口に連通する筒状の吸気口を有した底板を備え、前記アタッチメント本体の底面側に前記底板を左右方向に移動自在に設けると共に、前記底板の筒状の吸気口を前記レンジフードの排気口に接続させるようにしたことを特徴とするレンジの排気装置。
【請求項２】
請求項１記載のレンジの排気装置であって、
前記レンジフードの排気口側に取り付けられると共に、該排気口に連通する筒状の排気口を有した取付板を備え、この取付板の筒状の排気口に対して前記底板の筒状の吸気口を上下方向に移動自在に設けたことを特徴とするレンジの排気装置。
【請求項３】
請求項１記載のレンジの排気装置であって、
前記アタッチメント本体を、排気口を有した前部本体と、吸気口を有した後部本体とでＬ型に構成し、この後部本体に対して前記前部本体を前後方向に揺動自在に設けたことを特徴とするレンジの排気装置。
【発明の詳細な説明】
【技術分野】
【０００１】
本発明は、可動式の排気アダプタ（排気アタッチメント）を備えたレンジの排気装置に関する。
【背景技術】
【０００２】
例えば、台所には、ガスレンジ等のレンジで発生する熱気や煙等を排気するためのレンジファン（換気扇）を内蔵したレンジフードが取り付けられている。このレンジフードと外壁の排気孔に嵌め込まれた排気ダクトを接続するレンジの排気装置として、図６〜図８に示すものがある（例えば、特許文献１参照。）。
【０００３】
このレンジの排気装置１は、図６に示すように、レンジフード２の図示しない排気口と外壁３の排気孔３ａに嵌め込まれた排気ダクト４とを接続する排気アタッチメント６を備えている。この排気アタッチメント６は、図６〜図８に示すように、箱型のアタッチメント本体７と、このアタッチメント本体７の前面７ａ側の排気口７ｂを覆うと共に、該排気口７ｂに連通する円筒状の排気口８ｂを有した前板８とを備えている。
【０００４】
図７に示すように、前板８の四隅角部には長孔８ａをそれぞれ穿設してあり、この各長孔８ａにボルト９を挿通させてねじ込むことにより、該前板８をアタッチメント本体７の前面７ａに締結固定してある。そして、前板８の円筒状の排気口８ｂ内に排気ダクト４の一端を接続させると共に、アタッチメント本体７の底面７ｃ側の図示しない吸気口をレンジフード２の図示しない排気口に接続させている。
【０００５】
また、図７に示すように、ボルト９を緩めることにより、前板８はアタッチメント本体７の前面７ａに対して長孔８ａの長さＬ分だけ左右方向に移動可能になっており、排気ダクト４の一端に対する位置調整が可能となっている。
【０００６】
さらに、図７に示すように、前板８の円筒状の排気口８ｂ内には支軸８ｃを介してシャッター８ｄを揺動自在に取り付けてある。また、排気ダクト４の他端は外壁３の排気孔３ａに挿通されて屋外でウェザーカバー５内に開口している。これにより、ガスレンジ等のレンジで発生する熱気や煙等は、レンジフード２内に集められ、排気アタッチメント６のアタッチメント本体７の排気口７ｂ、前板８の排気口８ｂを経由して排気ダクト４から屋外に排気されるようになっている。
【０００７】
【特許文献１】特開２０００−３３７６７６号公報
【発明の開示】
【発明が解決しようとする課題】
【０００８】
前記従来のレンジの排気装置１では、前板８を長孔８ａの長さＬ分だけ左右方向に移動できるため、前板８の円筒状の排気口８ｂと排気ダクト４の接続の左右方向の位置調整は可能であるが、レンジフード２の排気口とアタッチメント本体７の底面７ｃ側の吸気口との接続の左右方向の位置調整が煩雑であった。また、排気ダクト４の取付位置が高さ方向（上下方向）にバラ付きがあったり、排気ダクト４が外壁３の排気孔３ａに傾斜して取り付けられた場合には、排気アタッチメント６の上下方向及び前後方向の位置調整が煩雑であった。
【０００９】
そこで、本発明は、前記した課題を解決すべくなされたものであり、排気アタッチメントを左右方向と上下方向及び前後方向に簡単に位置調整することができるレンジの排気装置を提供することを目的とする。
【課題を解決するための手段】
【００１０】
請求項１の発明は、レンジフードと排気ダクトとの間に排気アタッチメントを設け、この排気アタッチメントは、箱型のアタッチメント本体と、このアタッチメント本体の前面側の排気口を覆うと共に、該排気口に連通する筒状の排気口を有した前板とを備え、前記アタッチメント本体の前面側に前記前板を左右方向に移動自在に設けると共に、該前板の筒状の排気口に前記排気ダクトを接続させ、かつ、前記アタッチメント本体の底面側の吸気口を前記レンジフードの排気口に接続させるようにしたレンジの排気装置において、前記アタッチメント本体の底面側の吸気口を覆うと共に、該吸気口に連通する筒状の吸気口を有した底板を備え、前記アタッチメント本体の底面側に前記底板を左右方向に移動自在に設けると共に、前記底板の筒状の吸気口を前記レンジフードの排気口に接続させるようにしたことを特徴とする。
【００１１】
請求項２の発明は、請求項１記載のレンジの排気装置であって、前記レンジフードの排気口側に取り付けられると共に、該排気口に連通する筒状の排気口を有した取付板を備え、この取付板の筒状の排気口に対して前記底板の筒状の吸気口を上下方向に移動自在に設けたことを特徴とする。
【００１２】
請求項３の発明は、請求項１記載のレンジの排気装置であって、前記アタッチメント本体を、排気口を有した前部本体と、吸気口を有した後部本体とでＬ型に構成し、この後部本体に対して前記前部本体を前後方向に揺動自在に設けたことを特徴とする。
【発明の効果】
【００１３】
以上説明したように、請求項１の発明によれば、アタッチメント本体の底面側の吸気口を覆うと共に、該吸気口に連通する筒状の吸気口を有した底板を備え、アタッチメント本体の底面側に底板を左右方向に移動自在に設けると共に、底板の筒状の吸気口をレンジフードの排気口に接続させるようにしたことにより、アタッチメント本体の底面に対して底板を左右方向に移動させることで、レンジフードの排気口に対するアタッチメント本体の底板の筒状の吸気口の左右方向の位置調整を簡単に行うことができる。これにより、レンジフードの排気口にアタッチメント本体の底板の筒状の吸気口を正確かつ確実に接続することができる。
【００１４】
請求項２の発明によれば、レンジフードの排気口側に取り付けられると共に、該排気口に連通する筒状の排気口を有した取付板を備え、この取付板の筒状の排気口に対して底板の筒状の吸気口を上下方向に移動自在に設けたことにより、取付板の筒状の排気口に対して底板の筒状の吸気口を上下方向に移動させることで、排気ダクトに対するアタッチメント本体の前板の筒状の排気口の上下方向の位置調整を簡単に行うことができる。これにより、排気ダクトにアタッチメント本体の前板の筒状の排気口を正確かつ確実に接続することができる。
【００１５】
請求項３の発明によれば、アタッチメント本体を、排気口を有した前部本体と、吸気口を有した後部本体とでＬ型に構成し、この後部本体に対して前記前部本体を前後方向に揺動自在に設けたことにより、アタッチメント本体の後部本体に対して前部本体を前後方向に揺動させることで、排気ダクトに対するアタッチメント本体の前板の筒状の排気口の前後方向の位置調整を簡単に行うことができる。これにより、排気ダクトにアタッチメント本体の前板の筒状の排気口を正確かつ確実に接続することができる。
【発明を実施するための最良の形態】
【００１６】
以下、本発明の一実施形態を図面に基づいて説明する。
【００１７】
図１は本発明の一実施形態のレンジの排気装置を示す断面図、図２は同排気装置に用いられる排気アタッチメントの分解斜視図、図３は同排気アタッチメントの側面図、図４は同排気アタッチメントの正面図である。
【００１８】
図１〜図３に示すように、レンジの排気装置１０は、レンジフード１１の天板１１ａに形成された排気口１２と外壁１３の排気孔１３ａに嵌め込まれた排気ダクト１４とを接続する排気アタッチメント（排気アダプタ）２０を備えている。この排気アタッチメント２０は、図１〜図４に示すように、Ｌ型のアタッチメント本体２１と、このアタッチメント本体２１の前面２２ａ側の排気口２２ｂを覆うと共に、該排気口２２ｂに連通する円筒状の排気口２５ｂを有した前板２５と、アタッチメント本体２１の底面２３ａ側の吸気口２３ｂを覆うと共に、該吸気口２３ｂに連通する円筒状の吸気口２６ｂを有した底板２６と、レンジフード１１の天板１１ａの排気口１２の周辺にビス２９を介して締結固定されると共に、該天板１１ａの排気口１２に連通する円筒状の排気口２７ｂを有した取付板２７を備えている。
【００１９】
図１〜図３に示すように、アタッチメント本体２１は、前面２２ａに楕円形の排気口２２ｂを有した前部本体２２と、底面２３ａに楕円形の吸気口２３ｂを有した後部本体２３とでＬ型に構成されている。前部本体２２は、扇形の両側面部２２ｃ，２２ｃと湾曲状の背面部２２ｄとを有しており、底面側が開口している。また、前部本体２２の前面２２ａの上側と下側にはＬ字形のブラケット２２ｅ，２２ｆを相対向するように突設してある。さらに、後部本体２３は、扇形の両側面部２３ｃ，２３ｃと湾曲状の背面部２３ｄとを有しており、前面側が開口している。また、後部本体２３の底面２３ａの前側と後側にはＬ字形のブラケット２３ｅ，２３ｆを相対向するように突設してある。そして、後部本体２３内に前部本体２２を収納自在に取り付けてあると共に、該後部本体２３に対して前部本体２２を支軸２４を介して前後方向（図２中矢印Ａ方向）に揺動自在に支持してある。
【００２０】
また、図２に示すように、前板２５は矩形板状の板本体２５ａを有しており、該板本体２５ａの略中央に円筒状の排気口２５ｂを突設してある。さらに、前板２５の板本体２５ａはアタッチメント本体２１の前面２２ａの一対のブラケット２２ｅ，２２ｆ間において左右方向（図２中矢印Ｂ方向）にスライド自在に設けられている。また、底板２６は矩形板状の板本体２６ａを有しており、該板本体２６ａの略中央に円筒状の吸気口２６ｂを突設してある。さらに、底板２６の板本体２６ａはアタッチメント本体２１の底面２３ａの一対のブラケット２３ｅ，２３ｆ間において左右方向（図２中矢印Ｃ方向）にスライド自在に設けられている。さらに、底板２６の円筒状の吸気口２６ｂ内に取付板２７の円筒状の排気口２７ｂを収納自在に設けてある。即ち、取付板２７の円筒状の排気口２７ｂに対して底板２６の円筒状の吸気口２６ｂを上下方向（図２中矢印Ｄ方向）に移動自在に設けてあると共に、左右方向（図２中矢印Ｅ方向）に回動自在に設けてある。また、取付板２７は矩形板状の板本体２７ａを有しており、該板本体２７ａの略中央に円筒状の排気口２７ｂを突設してある。そして、前板２５の円筒状の排気口２５ｂに排気ダクト１４の一端１４ａを接続させると共に、底板２６の円筒状の吸気口２６ｂを取付板２７の円筒状の排気口２７ｂを介してレンジフード１１の天板１１ａの排気口１２に接続させるようになっている。
【００２１】
さらに、図４に示すように、取付板２７の円筒状の排気口２７ｂ内には一対の支軸２８ａ，２８ａを介してシャッター２８を揺動自在に取り付けてある。また、排気アタッチメント２０をＬ型ダクトとして使用する場合には、図４に示すように、前板２５と底板２６が直角になるようにアタッチメント本体２１を構成する前部本体２２と後部本体２３をビス２９で締結固定するようになっている。この際、前部本体２２と後部本体２３との間にできる隙間は、例えばウレタンフォーム製のテープ（ソフトテープ）を介在させてシールしておく。同様に、位置決めされた前板２５と底板２６も前部本体２２と後部本体２３にビス止めされるようになっている。また、前板２５と前部本体２２の前面２２ａ間、底板２６と後部本体２３の底面２３ａ間、底板２６の円筒状の吸気口２６ｂと取付板２７の円筒状の排気口２７ｂ間もソフトテープを介在させてそれぞれシールしておく。尚、これら各箇所の外側をアルミニウム製のテープ（アルミテープ）等を巻き付けてシールして漏風対策を更に施すようにしても良い。
【００２２】
また、レンジフード１１は、例えば台所の天井等に吊り下げられるようになっており、ガスレンジ等のレンジで発生する熱気や煙等を排気するための図示しないレンジファン（換気扇）を内蔵している。
【００２３】
以上実施形態のレンジの排気装置１０によれば、図１〜図３に示すように、Ｌ型の排気アタッチメント２０を用いて、レンジフード１１の天板１１ａに形成された排気口１２と外壁１３の排気孔１３ａに嵌め込まれた排気ダクト１４とを接続する際に、排気アタッチメント２０のアタッチメント本体２１の前部本体２２の前面２２ａに対して前板２５を左右方向にスライドさせることにより、排気ダクト１４の一端１４ａに対する前板２５の円筒状の排気口２５ｂの左右方向の位置調整を簡単に行うことができる。これにより、排気ダクト１４の一端１４ａをアタッチメント本体２１の前板２５の円筒状の排気口２５ｂ内に正確かつ確実に接続することができる。
【００２４】
また、アタッチメント本体２１の後部本体２３の底面２３ａに対して底板２６を左右方向にスライドさせることにより、レンジフード１１の天板１１ａの排気口１２側に締結固定された取付板２７の円筒状の排気口２７ｂに対する底板２６の円筒状の吸気口２６ｂの左右方向の位置調整を簡単に行うことができる。これにより、レンジフード１１の排気口１２に連通する取付板２７の円筒状の排気口２７ｂにアタッチメント本体２１の底板２６の円筒状の吸気口２６ｂを正確かつ確実に接続することができる。
【００２５】
さらに、取付板２７の円筒状の排気口２７ｂに対して底板２６の円筒状の吸気口２６ｂを上下方向にスライドさせることにより、排気ダクト１４の一端１４ａに対するアタッチメント本体２１の前板２５の円筒状の排気口２５ｂの上下方向の位置調整を簡単に行うことができる。これにより、排気ダクト１４の一端１４ａにアタッチメント本体１１の前板２５の円筒状の排気口２５ｂを正確かつ確実に接続することができる。
【００２６】
この際に、排気ダクト１４の他端１４ｂは外壁１３の排気孔１３ａに挿通されて屋外でウェザーカバー１５内に開口しているため、ガスレンジ等のレンジで発生する熱気や煙等は、レンジフード１１内に集められ、レンジフード１１の天板１１ａの排気口１２、排気アタッチメント２０の取付板２７の円筒状の排気口２７ｂ、底板２６の円筒状の吸気口２６ｂ、アタッチメント本体２１の後部本体２３の吸気口２３ｂ、アタッチメント本体２１の前部本体２２の排気口２２ｂ、前板２５の円筒状の排気口２５ｂを経由して排気ダクト１４から屋外に排気される。
【００２７】
図５は排気アタッチメント２０の他の取付状態を示す斜視図である。
【００２８】
この他の取付状態は、レンジフード１１が外壁１３の排気孔１３ａから離れている場合であり、外壁１３の排気孔１３ａに嵌め込まれる排気ダクトとして長尺でＬ字型のスパイラルダクト１６を使用する。このスパイラルダクト１６の一端１６ａと排気アタッチメント２０の前板２５の円筒状の排気口２５ｂを接続する際に、取付板２７の円筒状の排気口２７ｂに対して排気アタッチメント２０の底板２６の円筒状の吸気口２６ｂを左右方向に所定角度回動させておく。
【００２９】
そして、排気アタッチメント２０のアタッチメント本体２１の後部本体２３に対して前部本体２２を後方（図５中矢印Ｆ方向）に揺動させることにより、スパイラルダクト１６の一端１６ａに対する排気アタッチメント２０の前板２５の円筒状の排気口２５ｂの前後方向の位置調整を簡単に行うことができる。これにより、スパイラルダクト１６の一端１６ａに排気アタッチメント２０の前板２５の円筒状の排気口２５ｂを正確かつ確実に接続することができる。
【００３０】
尚、前記実施形態によれば、前板の排気口と底板の吸気口及び取付板の排気口をそれぞれ円筒状に形成したが、四角筒状等の角筒状に形成しても良い。
【図面の簡単な説明】
【００３１】
【図１】本発明の一実施形態のレンジの排気装置を示す断面図である。
【図２】上記レンジの排気装置に用いられる排気アタッチメントの分解斜視図である。
【図３】上記排気アタッチメントの側面図である。
【図４】上記排気アタッチメントの正面図である。
【図５】上記排気アタッチメントの他の取付状態を示す斜視図である。
【図６】従来のレンジの排気装置を示す断面図である。
【図７】上記従来のレンジの排気装置に用いられる排気アタッチメントの正面図である。
【図８】上記従来の排気アタッチメントの平面図である。
【符号の説明】
【００３２】
１０  レンジの排気装置
１１  レンジフード
１２  排気口
１４  排気ダクト
２０  排気アタッチメント
２１  アタッチメント本体
２２  前部本体
２２ａ  前面
２２ｂ  排気口
２３  後部本体
２３ａ  底面
２３ｂ  吸気口
２５  前板
２５ｂ  円筒状（筒状）の排気口
２６  底板
２６ｂ  円筒状（筒状）の吸気口
２７  取付板
２７ｂ  円筒状（筒状）の排気口
【図１】
2007315733.tif 000003
【図２】
2007315733.tif 000004
【図３】
2007315733.tif 000005
【図４】
2007315733.tif 000006
【図５】
2007315733.tif 000007
【図６】
2007315733.tif 000008
【図７】
2007315733.tif 000009
【図８】
2007315733.tif 000010